(57)【要約】【課題】遊技者が異なる玉貸し出し率でパチンコ玉の貸し出しを受けて、遊技を行うことのできるパチンコ遊技システムを提案すること。【解決手段】パチンコ遊技システム１において、遊技者は、選択したパチンコ台２の前に座り、台間機３の操作部３１から遊技で使用したいパチンコ玉を選択して、貨幣、紙幣あるいはプリペイドカードなどを用いて所定の金額を投入する。台間機３の制御部３２では、指定されたパチンコ玉に予め割り当てられている玉貸し出し率に基づき投入金額に対する貸し出し玉数を算出して、遊技者あるいはパチンコ台２に貸し出す。遊技者は、選択した玉貸し出し率でパチンコ玉の貸し出しを受けて遊技を行うことができるので、遊技時間を長くできるなど、より娯楽性の高いパチンコ遊技を実現できる。【選択図】      図１
2004147718.tif 000002
【特許請求の範囲】
【請求項１】
物性の異なる複数種類のパチンコ玉から、遊技に使用するパチンコ玉の種類を指定させ、
指定された種類のパチンコ玉を、投入金額に応じて、各種類のパチンコ玉毎に予め定められた玉貸し出し率で貸し出し、
使用するパチンコ玉と同一種類のパチンコ玉をパチンコ台に供給しながら、当該パチンコ台で遊技を行わせることを特徴とするパチンコ遊技方法。
【請求項２】
請求項１において、
前記パチンコ台で獲得したパチンコ玉の種類をその物性に基づき検出すると共にその個数を計数し、
パチンコ玉の種類に応じて予め割り当てられている景品交換率に従って、景品交換処理を行うことを特徴とするパチンコ遊技方法。
【請求項３】
請求項１または２において、
複数のパチンコ台から排出されたパチンコ玉をその物性に基づき種類毎に区分けして回収することを特徴とするパチンコ遊技方法。
【請求項４】
請求項１、２または３において、
磁気特性の異なる複数種類のパチンコ玉を用いることを特徴とするパチンコ遊技方法。
【請求項５】
請求項１、２、３または４において、
外観上で目視判別できる複数種類のパチンコ玉を用いることを特徴とするパチンコ遊技方法。
【請求項６】
パチンコ台と、
物性の異なる複数種類のパチンコ玉から、前記パチンコ台での遊技に使用するパチンコ玉の種類を指定するための玉指定手段と、
指定された種類のパチンコ玉を、投入金額に応じて、各種類のパチンコ玉毎に予め定められた玉貸し出し率で貸し出す玉貸し出し手段と、
使用するパチンコ玉と同一種類のパチンコ玉を前記パチンコ台に供給するパチンコ玉供給手段とを有することを特徴とするパチンコ遊技システム。
【請求項７】
請求項６において、
前記パチンコ台で獲得したパチンコ玉の種類をその物性に基づき検出すると共にその個数を計数する玉計数手段と、
検出された種類および計数された個数と、パチンコ玉の種類に応じて予め割り当てられている景品交換率とに基づき、景品交換処理を行う処理手段と、
を有することを特徴とするパチンコ遊技システム。
【請求項８】
請求項６または７において、
前記パチンコ玉供給手段は、複数のパチンコ台から排出されたパチンコ玉の種類をその物性に基づき判別する判別部と、この判別部での判別結果に基づき、パチンコ玉を種類毎に区分けする玉分離機構と、区分けされたパチンコ玉を種類毎に回収する玉回収部とを備えていることを特徴とするパチンコ遊技システム。
【請求項９】
請求項６、７または８において、
前記パチンコ玉は磁気特性の異なる複数種類のパチンコ玉であることを特徴とするパチンコ遊技システム。
【請求項１０】
請求項６ないし９のうちのいずれかの項において、
前記パチンコ玉は外観上で目視判別できる複数種類のパチンコ玉であることを特徴とするパチンコ遊技システム。
【請求項１１】
請求項６ないし１０のうちのいずれかの項において、
前記パチンコ台に隣接配置された台間機を有しており、
この台間機は、前記玉指定手段および前記玉貸し出し手段を備えていることを特徴とするパチンコ遊技システム。
【請求項１２】
請求項１１に記載のパチンコ遊技システムに用いる前記台間機。
【請求項１３】
請求項９に記載のパチンコ遊技システムに用いるために異なる磁気特性が付与されている複数のパチンコ玉からなることを特徴とするパチンコ玉セット。
【請求項１４】
請求項９に記載のパチンコ遊技システムに用いるために外観上で目視判別できる複数種類のパチンコ玉からなることを特徴とするパチンコ玉セット。
【発明の詳細な説明】
【０００１】
【発明の属する技術分野】
本発明は、同一のパチンコ台において遊技者の好みに応じて異なる玉貸し出し率でパチンコ玉の貸し出しを行い、パチンコ遊技を行わせることのできるパチンコ遊技方法およびパチンコ遊技システムに関するものである。
【０００２】
【従来の技術】
現在のパチンコ遊技における玉貸し基本ルール、すなわち、投入金額に対するパチンコ玉の貸し出し率は１００円で２５個の貸し出しを行うように固定化されている。したがって、長い時間、遊技を行いたい場合には投入金額を増やして、より多数のパチンコ玉を貸し出してもらう必要がある。
【０００３】
ここで、従来においては、パチンコ島毎に使用するパチンコ玉の色を変え、色毎に、獲得したパチンコ玉の景品交換率を変えたパチンコ遊技システムが提案されている（特許文献１、２）。このシステムでは、玉計数機において色彩センサを用いて色を判別するようにしている。
【０００４】
【特許文献１】
特開平１０−２１６３４８号公報
【特許文献２】
実用新案登録第３０４８８９３号公報
【０００５】
【発明が解決しようとする課題】
上記特許文献に記載のシステムを採用する場合には、パチンコ島毎に使用するパチンコ玉の色を異なったものにしているので、遊技者は異なるパチンコ島に設置されているパチンコ台において同一の投入金額でより多くの個数のパチンコ玉の貸し出しを受けることはできない。
【０００６】
また、従来のかかるシステムでは、パチンコ店管理者にとっても、パチンコ島毎に使用可能なパチンコ玉の色が指定されていることを知らない遊技者が別のパチンコ島において使用できない色のパチンコ玉を使用して遊技をすることのないように監視しなければならないなどの不便さがある。
【０００７】
本発明の課題は、このような点に鑑みて、遊技者が同一のパチンコ台において異なる玉貸し出し率でパチンコ玉の貸し出しを受けて、遊技を行うことのできるパチンコ遊技方法およびパチンコ遊技システムを提案することにある。
【０００８】
【課題を解決するための手段】
上記の課題を解決するために、本発明のパチンコ遊技方法は、
物性の異なる複数種類のパチンコ玉から、遊技に使用するパチンコ玉の種類を指定させ、
指定された種類のパチンコ玉を、投入金額に応じて、各種類のパチンコ玉毎に予め定められた玉貸し出し率で貸し出し、
使用するパチンコ玉と同一種類のパチンコ玉をパチンコ台に供給しながら、当該パチンコ台で遊技を行わせることを特徴としている。
【０００９】
本発明の方法によれば、遊技者は、遊技に用いるパチンコ玉の種類を指定すると、それに対応する玉貸し出し率でパチンコ玉が貸し出される。従って、遊技者は同一の投入金額で、より多い個数のパチンコ玉の貸し出しを受けることが可能になる。よって、別のパチンコ島のパチンコ台に移動することなく、同一のパチンコ台で、同一の投入金額により遊技できるパチンコ玉数を変えることができる。
【００１０】
ここで、前記パチンコ台で獲得したパチンコ玉の種類をその物性に基づき検出すると共にその個数を計数し、パチンコ玉の種類に応じて予め割り当てられている景品交換率に従って、景品交換処理を行うことが望ましい。すなわち、玉貸し出し率の高いパチンコ玉を用いて遊技した場合には玉数の多い分、パチンコ玉の獲得玉数も増える可能性が高くなるので、景品交換率を下げることが望ましい。
【００１１】
また、本発明のパチンコ遊技方法では、パチンコ台毎に異なる種類のパチンコ玉で遊技ができるので、複数のパチンコ台から排出されたパチンコ玉をその物性に基づき種類毎の区分けして回収することが望ましい。
【００１２】
本発明の方法においては、磁気特性の異なるパチンコ玉を用いることができる。この場合には、磁気センサを用いることにより、パチンコ玉の種類の判別を行うことができる。
【００１３】
次に、本発明は上記の方法を採用したパチンコ遊技システムに関するものであり、本発明によるパチンコ遊技システムは、
パチンコ台と、
物性の異なる複数種類のパチンコ玉から、前記パチンコ台での遊技に使用するパチンコ玉の種類を指定するための玉指定手段と、
指定された種類のパチンコ玉を、投入金額に応じて、各種類のパチンコ玉毎に予め定められた玉貸し出し率で貸し出す玉貸し出し手段と、
使用するパチンコ玉と同一種類のパチンコ玉を前記パチンコ台に供給するパチンコ玉供給手段とを有することを特徴としている。
【００１４】
ここで、獲得したパチンコ玉を景品と交換するためには、上記の構成に加えて、前記パチンコ台で獲得したパチンコ玉の種類をその物性に基づき検出すると共にその個数を計数する玉計数手段と、検出された種類および計数された個数と、パチンコ玉の種類に応じて予め割り当てられている景品交換率とに基づき、景品交換処理を行う処理手段とを備えていることが望ましい。
【００１５】
また、前記パチンコ玉供給手段は、複数のパチンコ台から排出されたパチンコ玉の種類をその物性に基づき判別する判別部と、この判別部での判別結果に基づき、パチンコ玉を種類毎に区分けする玉分離機構と、区分けされたパチンコ玉を種類毎に回収する玉回収部とを備えた構成とすることができる。
【００１６】
さらに、本発明のシステムにおいては、磁気特性の異なる複数種類のパチンコ玉を用いることができる。
【００１７】
さらに、本発明のシステムにおいては、外観で目視できる複数種類のパチンコ玉を用いることができる。
【００１８】
ここで、外観を目視できるパチンコ玉としては、パチンコ玉の表面を、色彩により分ける手段、模様により分ける手段、刻印により分ける手段、またはそれらの各組み合わせによる手段があげられる。
【００１９】
また、一般的なパチンコ遊技システムとして、パチンコ玉が一般的にパチンコ台に隣接配置されている台間機から貸し出される構成となっている場合には、当該パチンコ台に、前記玉指定手段および前記玉貸し出し手段を設けなければよい。
【００２０】
さらに、パチンコ島毎に貸し出される構成となっている場合には、当該パチンコ島毎に、前記玉指定手段および前記玉貸し出し手段を装備すればよい。
【００２１】
【発明の実施の形態】
以下に、図面を参照して、本発明を適用したパチンコ遊技システムの実施の形態を説明する。
【００２２】
図１は、本実施の形態に係るパチンコ遊技システムの全体構成図である。パチンコ遊技システム１は、一般的に使用されているシステムと同様に、複数台のパチンコ台２と、これらの間に設置されている台間機３と、これらの駆動を制御すると共に動作状態を監視するホールコンピュータ４と、景品交換所のカウンタに設置されているＰＯＳ端末５と、当該ＰＯＳ端末５に接続されている玉計数機６を有している。また、各パチンコ台２にパチンコ玉を供給すると共に、各パチンコ台２から排出されたパチンコ玉を回収するパチンコ玉供給機構７を有している。
【００２３】
図２には、この構成のパチンコ遊技システム１において使用するパチンコ玉セットを示してある。パチンコ玉セット１０は、磁気特性の異なる複数種類、本例では４種類の第１〜第４のパチンコ玉１１〜１４を含んでいる。第１のパチンコ玉１１は強磁性体からなり、第４のパチンコ玉１４は非磁性体あるいは極めて弱い磁性体からなり、第２のパチンコ玉１２は第１のパチンコ玉１１よりも弱い磁性体からなり、第３のパチンコ玉１３は第２のパチンコ玉１２よりも弱い磁性体であるが第４のパチンコ玉１４よりも強い磁性体からなっている。このような磁気特性が有意に異なっているパチンコ玉１１〜１４は、例えば、ステンレス合金から形成することができる。例えば、最も磁性の強い第１のパチンコ玉１１はマルテンサイト系のステンレス合金から形成することができる。また、最も磁性の弱い第４のパチンコ玉１４はオーステナイト系のステンレス合金から形成することができる。なお、これら第１ないし第４のパチンコ玉１１〜１４の形状、大きさ、及び質量は一般的に使用されているパチンコ玉と同一とされている。
【００２４】
ここで、第１〜第４のパチンコ玉１１〜１４には、玉貸し出し率が予め割り当てられている。例えば、第１のパチンコ玉１１には、投入金額１００円に対して２５個の玉貸し出し率が割り当てられており、第２〜第４のパチンコ玉１２〜１４には、それぞれ、投入金額１００円に対して５０個、２０個、１５個の玉貸し出し率が割り当てられている。さらに、これら第１〜第４のパチンコ玉の獲得玉数に対しては、例えば、玉貸し出し率に反比例の関係で、景品交換率が予め割り当てられている。
【００２５】
次に、台間機３の基本構成は一般的に使用されているものと同一であるが、その操作部３１に配列されたキー、例えばテンキーを利用して、遊技に用いるパチンコ玉の種類を指定入力可能となっている。操作部３１を介してパチンコ玉の種類が指定入力されると、制御部３２では、第１〜第４のうちのいずれのパチンコ玉が指定されたのかを判別し、対応するパチンコ台２で使用すべきパチンコ玉を決定する。また、投入金額に対して、上記のように予め割り当てられている玉貸し出し率で、指定されたパチンコ玉が貸し出される。
【００２６】
パチンコ台２の基本構成も一般的に使用されているものと同一であり、その背面側には玉貯留部２１が配置されている。しかるに、この玉貯留部２１の玉供給口には開閉機構２２が取付られており、開閉機構２２は、台間機３の制御部３２からの指令に基づき制御される。
【００２７】
次に、パチンコ玉供給機構７は、パチンコ台２の背面側にほぼ水平に配列された４本のパチンコ玉供給路７１〜７４および１本のパチンコ玉回収路７５と、パチンコ玉区分け回収部７６とを備えている。パチンコ玉区分け回収部７６は、パチンコ玉回収路７５を介して混在状態で回収された第１〜第４のパチンコ玉１１〜１４を、その種類毎に区分けして貯留可能である。また、各種類のパチンコ玉１１〜１４を、それぞれ、パチンコ供給路７１〜７４を介して各パチンコ台２に向けて供給可能である。
【００２８】
図３は、パチンコ玉区分け回収部７６に装着されているパチンコ玉識別機構の一例を示す概略ブロック図である。本例のパチンコ玉識別機構１００は、交流磁界中を磁気特性の異なるパチンコ玉が通過する際に発生する磁束の変化を差動トランスで検出し、検出信号を増幅してデジタル処理することにより、第１〜第４のパチンコ玉１１〜１４を識別する。
【００２９】
このパチンコ玉識別機構１００は、差動トランス１０１を有し、その一次側コイル１０２には５〜１０ｋＨｚの交流電圧が発振器１０３により印加される。差動トランス１０１の二次側の基準コイル１０４および検出コイル１０５の出力は、増幅器１０６において増幅されて検波回路１０７に供給され、検波回路１０７の出力が比較器１０８で比較され、比較器１０８の出力に基づき、絶縁分離回路１０９では、差動トランス１０１の検出コイル１０５の近傍位置を通過したパチンコ玉が第１〜第４のパチンコ玉１１〜１４のいずれであるのかを識別する。この絶縁分離回路１０９からの出力に基づき、玉分離部１１０において、回収されるパチンコ玉がその種類別に分離される。
【００３０】
差動トランス１０１の検出コイル１０５はパチンコ玉回収路７５の終端部分に配置されており、これよりも下流側の位置に玉分離部１１０が配置されている。パチンコ玉回収路７５を通ってパチンコ玉区分け回収部７６に回収されるパチンコ玉は、玉分離部１１０で第１〜第４のパチンコ玉に分離され、それぞれの貯留部に回収される。
【００３１】
差動トランス１０１の基準コイル１０４および検出コイル１０５の出力は同一であるが、強磁性体の第１のパチンコ玉１１が検出コイル１０５の近傍を通過すると、検出コイル１０５の出力が基準コイル側の出力よりも大きくなる。逆に、非磁性体あるいは弱磁性体である第４のパチンコ玉１４が検出コイル１０５の近傍を通過すると、検出コイル１０５の出力が基準コイル側の出力よりも小さくなる。このような差動出力に基づき、第１〜第４のパチンコ玉１１〜１４を判定できる。
【００３２】
なお、差動トランスの代わりに市販の磁気センサを用いてパチンコ玉識別機構を構成することもできる。例えば、図４に示すように、所定の感度の磁気センサ１１１と比較器１１２と絶縁分離回路１１３と玉分離部１１４によってパチンコ玉識別機構を構成することもできる。
【００３３】
一方、景品交換所のカウンタなどに設置されている玉計数機６も、上記のパチンコ玉識別機構１００と同様な構成のパチンコ玉識別機構１００Ａを備えており、パチンコ玉の計数機能と共に、その種類を判別する判別機能が備わっている。また、この計数機６が接続されているＰＯＳ端末５は、各パチンコ玉１１〜１４毎に予め割り当てられている景品交換率に基づき、景品交換処理を行う。例えば、獲得したパチンコ玉を、基準となる第１のパチンコ玉１１の玉数に換算する処理を行う。各種の交換用景品の価値は基準となる第１のパチンコ玉１１の玉数で表示されているので、このような換算処理を行うことにより、遊技者およびパチンコ店の担当者は、簡単に交換可能な景品が分かるので便利である。
【００３４】
このように構成した本実施の形態のパチンコ遊技システム１において、遊技者は、選択したパチンコ台２の前に座り、台間機３の操作部３１から遊技で使用したいパチンコ玉を選択して、貨幣、紙幣あるいはプリペイドカードなどを用いて所定の金額を投入する。台間機３の制御部３２では、指定されたパチンコ玉に予め割り当てられている玉貸し出し率に基づき投入金額に対する貸し出し玉数を算出して、遊技者あるいはパチンコ台２に貸し出す。同時に、前回の遊技で使用されたパチンコ玉の種類が、指定された種類と異なる場合には、パチンコ台２の玉貯留部２１に残っているパチンコ玉を全て払い出して、指定された種類のパチンコ玉を開閉機構２２を介して玉貯留部２１に導入する。
【００３５】
パチンコ台２での遊技中に排出されたパチンコ玉はパチンコ玉回収路７５を経由してパチンコ玉区分け回収部７６に回収される。各パチンコ台２で使用されているパチンコ玉の種類が異なっているので、各種類のパチンコ玉１１〜１４が混在した状態で回収される。しかるに、上記のように、パチンコ玉区分け回収部７６では、そのパチンコ玉分離機構１００によって第１〜第４のパチンコ玉１１〜１４が分離され、それぞれ専用の貯留部に回収される。
【００３６】
回収された各パチンコ玉１１〜１４は、専用のパチンコ玉供給路７１〜７４をそれぞれ経由して各パチンコ台２に向けて供給される。パチンコ台２では、その開閉機構２２が台間機３によって制御され、指定されているパチンコ玉の供給口のみが開いた状態にされている。従って、遊技者が指定した種類のパチンコ玉のみがパチンコ台２に供給される。
【００３７】
遊技を終了した遊技者は、獲得したパチンコ玉を景品交換所に持ち込み、そこに設置されている玉計数機６に投入すれば、パチンコ玉の種類が判別され、また、玉数が算出される。算出された玉数はＰＯＳ端末５において基準となる第１のパチンコ玉１１の数に換算される。この換算された玉数に基づき、交換可能な景品が分かり、交換可能な景品の中から希望する景品と交換することができる。
【００３８】
（その他の実施の形態）
上記の実施の形態では、磁気特性の異なる４種類のパチンコ玉を用いているが、磁気特性以外の物性を変えるようにしてもよい。また、パチンコ玉の種類は、２、３種類でもよく、あるいは５種類以上としてもよい。
【００３９】
さらには、視覚によりパチンコ玉の種類が分かるように、パチンコ玉の物性を変えると共にパチンコ表面の色、模様、刻印を変えるようにしてもよい。これにより、遊技者は、パチンコ玉を視覚によって、投入金額に対する玉貸し出し率の割り当てが理解でき、また、景品交換率も予め知ることができる。さらに、店側も、遊技者がどのような玉貸し出し率のパチンコ玉を使用しているのかが判別でき、他店のパチンコ玉との区別の判別も容易になり、不正使用を防止することができる。
【００４０】
また、上記の実施の形態では、種類の異なるパチンコ玉を異なる供給路に沿って各パチンコ台に向けて供給しているが、パチンコ玉供給機構としては、これ以外の各種の構成のものを採用できる。例えば、共通のパチンコ玉供給路に沿って各パチンコ台にパチンコ玉を供給し、各パチンコ台毎に指定されたパチンコ玉を選別して取り込むようにすることも可能である。また、各パチンコ台からのパチンコ玉の回収も種類に応じて専用の回収路を介して別個に回収するように構成することもできる。
【００４１】
【発明の効果】
以上説明したように、本発明のパチンコ遊技方法およびシステムにおいては、磁気特性などの物性の異なる複数種類のパチンコ玉から、遊技に使用するパチンコ玉の種類を指定させ、指定された種類のパチンコ玉を、投入金額に応じて、各種類のパチンコ玉毎に予め定められた玉貸し出し率で貸し出し、使用するパチンコ玉と同一種類のパチンコ玉をパチンコ台に供給しながら、当該パチンコ台で遊技を行わせるようにしている。
【００４２】
従って、遊技者は、同一の投入金額に対して貸し出されるパチンコ玉の個数を選択することができる。例えば、貸し出し玉数の多いパチンコ玉を指定することにより遊技時間を長くすることができる。逆に、貸し出し玉数が少なく、景品交換率の高いパチンコ玉を指定することにより、よりギャンブル性に富んだ形態でパチンコ遊技を楽しむこともできる。
【００４３】
また、同一のパチンコ台において遊技に使用するパチンコ玉の種類を指定できるので、パチンコ店管理者にとっては、各島毎に色の異なるパチンコ玉を使用させて景品交換率を変更可能にする場合に比べて、色の異なるパチンコ玉が異なるパチンコ島で使用されてしまうといった不正使用などに対する監視が不要となる。
【００４４】
このように、本発明によれば、遊技者の選択によってパチンコの遊技形態を変えることができるので、従来に比べて、より娯楽性の高いパチンコ遊技を実現できる。
【図面の簡単な説明】
【図１】本発明の実施の形態に係るパチンコ遊技システムを示す概略構成図である。
【図２】図１のシステムに用いるパチンコ玉セットを示す説明図である。
【図３】図１のシステムに組み込まれているパチンコ玉識別機構の例を示すブロック図である。
【図４】図３のパチンコ玉識別機構の別の例を示すブロック図である。
【符号の説明】
１    パチンコ遊技システム
２    パチンコ台
２１  玉貯留部
２２  開閉機構
３    台間機
３１  操作部
３２  制御部
４    ホールコンピュータ
５    ＰＯＳ端末
６    玉計数機
７    パチンコ玉回収機構
７１〜７４  パチンコ玉供給路
７５  パチンコ玉回収路
７６  パチンコ玉区分け回収部
１０  パチンコ玉セット
１１〜１４  パチンコ玉
１００  パチンコ玉識別機構
１０１  差動トランス
１１１  磁気センサ
【図１】
2004147718.tif 000003
【図２】
2004147718.tif 000004
【図３】
2004147718.tif 000005
【図４】
2004147718.tif 000006